(57)【特許請求の範囲】
【請求項１】
背フレームの前面に背もたれが配置されて前記背フレームの後面から前記背もたれを取り付けるための部品が装着されると共に前記背フレームの後面のうち前記装着された部品を含む領域に背フレームカバーが取り付けられ、当該背フレームカバーを前記背フレームに取り付けるための構造が当該背フレームカバーの前面に設けられて外観に現れることがなく、さらに、前記背フレームに前記背もたれを取り付けるための前記部品がねじであると共に前記背フレームカバーを前記背フレームに取り付けるための前記構造として係止爪を有する係止片を備え、当該係止片の係止爪が前記ねじの頭部の下面に係止することを特徴とする背もたれの取付構造。
【請求項２】
背フレームの前面に背もたれが配置されて前記背フレームの後面から前記背もたれを取り付けるための部品が装着されると共に前記背フレームの後面のうち前記装着された部品を含む領域に背フレームカバーが取り付けられ、当該背フレームカバーを前記背フレームに取り付けるための構造が当該背フレームカバーの前面に設けられて外観に現れることがなく、さらに、前記背フレームカバーを前記背フレームに取り付けるための前記構造として、スプリングピンが差し込まれる穴が軸心方向に形成されたボス部が前記背フレームカバーの前面に設けられると共に、前記スプリングピンが差し込まれた前記ボス部が嵌まり込む凹部と前記スプリングピンが差し込まれる穴とが連接して前記背フレームの後面に設けられることを特徴とする背もたれの取付構造。
【請求項３】
前記背もたれの後面の前記背フレームが接合する部分と前記背フレームの前面の前記背もたれが接合する部分とのそれぞれに相互に嵌合する凹凸が形成されることを特徴とする請求項１または２に記載の背もたれの取付構造。
【請求項４】
背フレームの前面に背もたれが配置されて前記背フレームの後面から前記背もたれを取り付けるための部品が装着された前記背フレームの後面に取り付けられ、且つ、前記背フレームの後面のうち前記装着された部品を含む領域に取り付けられ、前記背フレームに取り付けられるための構造が前面に設けられて外観に現れることがなく、さらに、前記背フレームに前記背もたれを取り付けるための前記部品がねじであり、前記背フレームに取り付けられるための前記構造として係止爪を有する係止片を備え、当該係止片の係止爪が前記ねじの頭部の下面に係止することを特徴とする背フレームカバー。
【請求項５】
背フレームの前面に背もたれが配置されて前記背フレームの後面から前記背もたれを取り付けるための部品が装着された前記背フレームの後面に取り付けられ、且つ、前記背フレームの後面のうち前記装着された部品を含む領域に取り付けられ、前記背フレームに取り付けられるための構造が前面に設けられて外観に現れることがなく、さらに、前記背フレームに取り付けられるための前記構造として、スプリングピンが差し込まれる穴が軸心方向に形成されたボス部が前面に設けられ、前記背フレームの後面に設けられた凹部に前記スプリングピンが差し込まれた前記ボス部が嵌まり込むと共に前記凹部と連接して設けられた穴に前記スプリングピンが差し込まれることを特徴とする背フレームカバー。
【請求項６】
前記背もたれの後面の前記背フレームが接合する部分と前記背フレームの前面の前記背もたれが接合する部分とのそれぞれに相互に嵌合する凹凸が形成されることを特徴とする請求項４または５に記載の背フレームカバー。
【請求項７】
請求項１から３のいずれか一つに記載の背もたれの取付構造、または、請求項４から６のいずれか一つに記載の背フレームカバーを備えることを特徴とする椅子。
【発明の詳細な説明】
【技術分野】
【０００１】
本発明は、背フレームカバー及び背もたれの取付構造並びに椅子に関する。さらに詳述すると、本発明は、椅子の背もたれを背フレームを介して支持部材に取り付ける構造に適用して好適な技術に関する。
【背景技術】
【０００２】
椅子の背もたれを背フレームを介して支持部材に取り付ける従来の構造として、図１１に示すように、支持部材１０１から延びる背フレーム１０２に対して背もたれ１０３を取付ねじ１０４によって後ろからねじ止めし、背フレーム１０２と背もたれ１０３との取付部を背フレーム１０２と共に背カバー１０５で覆い隠すものがある（特許文献１）。
【０００３】
また、従来の他の構造として、図１２に示すように、支持部材(図示していない)から延びる背フレーム１０１に対して背もたれ１０２を前側からねじ止めし、背フレーム１０１と背もたれ１０２との取付部の更に前側に表皮材１０３を張るなどして前記取付部を隠すものがある（特許文献２）。
【先行技術文献】
【特許文献】
【０００４】
【特許文献１】特開２００６−１９８０６３号
【特許文献２】特開２００７−１３０３４１号
【発明の概要】
【発明が解決しようとする課題】
【０００５】
しかしながら、特許文献１の背もたれの取付構造では、背もたれを取り付けるためのねじ等を隠して椅子の外観を良好なものにすることはできても、背フレーム全体を背カバーで覆って隠すために構造・構成部品が大掛かりなものになってしまう。このため、当該構造が適用され得る椅子のタイプが限定されてしまい、また、構造・構成部品が大掛かりで部品点数の増加などによってコスト高になってしまい、汎用性が高いとは言い難い。
【０００６】
また、特許文献２の背もたれの取付構造では、背もたれを取り付けるためのねじ等を隠して椅子の外観を良好なものにすることはできても、背フレームに対して背もたれを取り付けた後に更に表皮材を張るようにしているので、背もたれを交換したい等の場合であっても表皮材を取り外した後でなければ交換することができない。このため、背もたれの交換に余計な手間がかかる構造であるので、汎用性が高いとは言い難い。また、特許文献２の背もたれの取付構造では、表皮材が後付け可能な態様でなければならないので、従来からある背もたれ全体を表皮材でくるんだ態様の椅子には適用することができない。この点からも、汎用性が高いとは言い難い。
【０００７】
そこで、本発明は、背フレームと背もたれとの着脱を容易に行うことが可能であると共にこれら背フレームと背もたれとの取付部を隠して椅子の外観を良好なものにすることができる背もたれの取付構造を提供することを目的とする。さらに、本発明は、構造が簡便でありながら良好な取り付け状態を実現することができ且つこの良好な取り付け状態を維持することができると共に背フレームに意匠性を持たせて外観を良好なものにすることができる背フレームカバーを提供することを目的とする。
【課題を解決するための手段】
【０００８】
かかる目的を達成するため、請求項１記載の背もたれの取付構造は、背フレームの前面に背もたれが配置されて前記背フレームの後面から前記背もたれを取り付けるための部品が装着されると共に前記背フレームの後面のうち前記装着された部品を含む領域に背フレームカバーが取り付けられ、当該背フレームカバーを前記背フレームに取り付けるための構造が当該背フレームカバーの前面に設けられて外観に現れることがなく、さらに、前記背フレームに前記背もたれを取り付けるための前記部品がねじであると共に前記背フレームカバーを前記背フレームに取り付けるための前記構造として係止爪を有する係止片を備え、当該係止片の係止爪が前記ねじの頭部の下面に係止するようにしている。
【０００９】
また、請求項４記載の背フレームカバーは、背フレームの前面に背もたれが配置されて前記背フレームの後面から前記背もたれを取り付けるための部品が装着された前記背フレームの後面に取り付けられ、且つ、前記背フレームの後面のうち前記装着された部品を含む領域に取り付けられ、前記背フレームに取り付けられるための構造が前面に設けられて外観に現れることがなく、さらに、前記背フレームに前記背もたれを取り付けるための前記部品がねじであり、前記背フレームに取り付けられるための前記構造として係止爪を有する係止片を備え、当該係止片の係止爪が前記ねじの頭部の下面に係止するようにしている。
【００１０】
したがって、これらの背もたれの取付構造及び背フレームカバーによると、背フレームの後面から背もたれを取り付けるようにしているので、背もたれの前面に例えば張り地などが張り設けられていたとしても、この張り地を取り外すことなく背フレームに対する背もたれの着脱が行われる。なお、このことは、他の請求項に記載の発明においても同様である。
【００１１】
また、これらの背もたれの取付構造及び背フレームカバーによると、背フレームの後面のうち当該背フレームに背もたれを取り付けるために装着された部品を含む領域、言い換えると、背フレームに背もたれを取り付けるための構造を含む領域に背フレームカバーを取り付けるようにしているので、繁雑な取付構造が覆われて外観が良好なものになると共に椅子の使用時などにおいて前記取付構造の凹凸に着衣などが引っ掛かってしまうことが防止される。なお、このことは、他の請求項に記載の発明においても同様である。
【００１２】
また、これらの背もたれの取付構造及び背フレームカバーによると、背フレームカバーの色彩や材質をこれが取り付けられる背フレームの色彩や材質と敢えて変えることによって椅子のデザイン上のアクセントとすることができる。なお、このことは、他の請求項に記載の発明においても同様である。
【００１３】
また、これらの背もたれの取付構造及び背フレームカバーによると、背もたれを取り付けるための部品であるねじを利用して背フレームカバーが取り付けられる。なお、ねじの頭部の下面とはねじの軸部側の面のことをいう。
【００１４】
また、請求項２記載の発明は、背フレームの前面に背もたれが配置されて前記背フレームの後面から前記背もたれを取り付けるための部品が装着されると共に前記背フレームの後面のうち前記装着された部品を含む領域に背フレームカバーが取り付けられ、当該背フレームカバーを前記背フレームに取り付けるための構造が当該背フレームカバーの前面に設けられて外観に現れることがなく、さらに、前記背フレームカバーを前記背フレームに取り付けるための前記構造として、スプリングピンが差し込まれる穴が軸心方向に形成されたボス部が前記背フレームカバーの前面に設けられると共に、前記スプリングピンが差し込まれた前記ボス部が嵌まり込む凹部と前記スプリングピンが差し込まれる穴とが連接して前記背フレームの後面に設けられるようにしている。また、請求項５記載の発明は、背フレームの前面に背もたれが配置されて前記背フレームの後面から前記背もたれを取り付けるための部品が装着された前記背フレームの後面に取り付けられ、且つ、前記背フレームの後面のうち前記装着された部品を含む領域に取り付けられ、前記背フレームに取り付けられるための構造が前面に設けられて外観に現れることがなく、さらに、前記背フレームに取り付けられるための前記構造として、スプリングピンが差し込まれる穴が軸心方向に形成されたボス部が前面に設けられ、前記背フレームの後面に設けられた凹部に前記スプリングピンが差し込まれた前記ボス部が嵌まり込むと共に前記凹部と連接して設けられた穴に前記スプリングピンが差し込まれるようにしている。これらの場合には、スプリングピンが差し込まれたボス部が凹部に嵌まり込むようにしているので、スプリングピンが差し込まれたボス部が拡張してしまうことが防止される。
【００１５】
また、請求項３記載の発明は、請求項１または２に記載の背もたれの取付構造において、前記背もたれの後面の前記背フレームが接合する部分と前記背フレームの前面の前記背もたれが接合する部分とのそれぞれに相互に嵌合する凹凸が形成されるようにしている。また、請求項６記載の発明は、請求項４または５に記載の背フレームカバーにおいて、前記背もたれの後面の前記背フレームが接合する部分と前記背フレームの前面の前記背もたれが接合する部分とのそれぞれに相互に嵌合する凹凸が形成されるようにしている。これらの場合には、背フレームに背もたれを取り付ける際の位置決めが容易に行われると共に取り付け後の両者の位置ずれなどが防止される。
【００１６】
また、請求項７記載の発明は、請求項１から３のいずれか一つに記載の背もたれの取付構造、または、請求項４から６のいずれか一つに記載の背フレームカバーを備える椅子であるようにしている。この場合には、上述の作用のうち対応する作用が実現される。
【発明の効果】
【００１７】
本発明の背もたれの取付構造及び背フレームカバーによれば、背もたれの前面の例えば張り地などを取り外すことなく背フレームに対する背もたれの着脱を行うことができるので、背フレームに未だ取り付けられておらず取り扱いが容易な状態の背もたれ枠に張り地を張ってから背フレームへの取り付け作業を行うことが可能であり、また、背もたれを交換する際に張り地を外す手間をかけないで背フレームからの取り外し作業を行うことが可能であるので、各種作業上の取り扱い易さの向上を図ることが可能になる。
【００１８】
また、本発明の背もたれの取付構造及び背フレームカバーによれば、背フレームに背もたれを取り付けるための繁雑な構造を覆って外観を良好なものにすることができるので、椅子の高級感を創出することが可能になる。また、椅子の使用時などにおいて背フレームに背もたれを取り付けるための構造の凹凸に着衣などが引っ掛かってしまうことを防止することができるので、椅子の使用の快適性と安全性との向上を図ることが可能になる。
【００１９】
また、本発明の背もたれの取付構造及び背フレームカバーによれば、背フレームカバーを椅子のデザイン上のアクセントにすることができるので、椅子のタイプに合わせて高級感，カジュアル感，クール感などを自由に創出することが可能になる。また、多様な雰囲気を自由に創出することが可能であるので、多様な椅子に適用することができ汎用性が非常に高い。
【００２０】
また、本発明の背もたれの取付構造及び背フレームカバーによれば、背もたれを取り付けるための部品であるねじを利用して背フレームカバーを取り付けることができるので、上述のような種々の効果を奏するための構造を実現するための部品点数の増加を最小限に抑えることが可能になる。すなわち、構造が簡便でありながら種々の効果を奏し得る構造を実現することが可能になる。
【００２１】
また、本発明の背もたれの取付構造及び背フレームカバーによれば、スプリングピンが差し込まれたボス部が拡張してしまうことを防止することができるので、背フレームに対する背フレームカバーの良好な取り付け状態を維持することが可能になる。
【００２２】
また、本発明の背もたれの取付構造及び背フレームカバーによれば、背フレームに背もたれを取り付ける際の位置決めを容易に行うことができると共に取り付け後の両者の位置ずれなどを防止することができるので、組み立て作業の容易性及び確実性の向上と使用時の快適性及び安全性の向上とを図ることが可能になる。
【００２３】
また、本発明の背もたれの取付構造または背フレームカバーを備える椅子によれば、上述の効果のうち対応する効果を発揮することが可能である。
【図面の簡単な説明】
【００２４】
【図１】本発明の背フレームカバー及び背もたれの取付構造が適用される実施形態の椅子の全体構造を示す側面図である。
【図２】実施形態の椅子の背もたれ枠及び背フレームの構造を説明する図である。（Ａ）は前方斜視図である。（Ｂ）は後方斜視図である。
【図３】実施形態の椅子の背フレームの上側部分の構造を説明する図である。（Ａ）は正面図(即ち前面)である。（Ｂ）は背面図(即ち後面)である。
【図４】実施形態の椅子の背もたれ枠の構造を説明する図であり、左縦枠下側部分の拡大背面図(即ち後面)である。
【図５】実施形態の椅子における背もたれ枠と背フレームと背フレームカバーとの組立構造を説明する分解斜視図である。
【図６】実施形態の椅子における背フレーム上端側での当該背フレームと取付ねじとの組み合わせ構造を説明する縦断面図である。
【図７】実施形態の椅子における背フレーム上端側での背もたれ枠と背フレームと背フレームカバーとの組み合わせ構造を説明する縦断面図である。
【図８】実施形態の椅子における背フレーム中間部での背フレームへの背フレームカバーの取付構造を説明する縦断面図である。
【図９】実施形態の椅子における背フレーム中間部下端であって背フレームカバー下端での背フレームへの背フレームカバーの取付構造を説明する縦断面図である。
【図１０】実施形態の椅子における背フレーム上端側での背もたれ枠と背フレームとの接合部分を説明する縦断面図である。
【図１１】背もたれを背フレームを介して支持部材に取り付ける従来の構造を説明する図である。
【図１２】背もたれを背フレームを介して支持部材に取り付ける従来の他の構造を説明する図である。
【発明を実施するための形態】
【００２５】
以下、本発明の構成を図面に示す実施の形態の一例に基づいて詳細に説明する。
【００２６】
図１から図１０に、本発明の背フレームカバー及び背もたれの取付構造並びに椅子の実施形態の一例を示す。なお、本実施形態では、本発明を図１に全体構造を示す椅子２０に適用した場合を例に挙げて説明する。また、本明細書においては、椅子２０の座１７に座った着座者を基準にして上下、前後、左右を定義する。
【００２７】
本実施形態の椅子２０は、複数個のキャスターを備える脚２１と、当該脚２１の脚支柱２１ａの頂部に取り付けられる支持部材１９と、当該支持部材１９の上方に揺動可能に取り付けられる座受部材１８と、当該座受部材１８の上面に取り付けられ支持されるクッション材からなる座１７と、支持部材１９及び座受部材１８の左右に離間し対向して設けられると共に前端部１ａが支持部材１９に揺動可能に取り付けられる背フレーム１，１と、これら背フレーム１，１に取り付けられる背もたれ枠２とを有する。
【００２８】
そして、本発明の背もたれの取付構造は、背フレーム１，１の前面に背もたれを構成する背もたれ枠２が配置されて背フレーム１，１の後面から背もたれ枠２を取り付けるための部品としての取付ねじ４，５が装着されると共に背フレーム１，１の後面のうち装着された部品としての取付ねじ４，５を含む領域に背フレームカバー３，３が取り付けられ、当該背フレームカバー３，３を前記背フレームに取り付けるための構造が当該背フレームカバー３，３の前面に設けられて外観に現れないようにするものである。
【００２９】
また、本発明の背フレームカバー３は、背フレーム１，１の前面に背もたれを構成する背もたれ枠２が配置されて背フレーム１，１の後面から背もたれ枠２を取り付けるための部品としての取付ねじ４，５が装着された背フレーム１，１の後面に取り付けられ、且つ、背フレーム１，１の後面のうち装着された部品としての取付ねじ４，５を含む領域に取り付けられ、背フレーム１，１に取り付けられるための構造が前面に設けられて外観に現れないようにするものである。
【００３０】
左右の背フレーム１，１はそれぞれ、前端部１ａから後ろ斜め上方に延伸し中間部（屈曲(湾曲)部分１ｉと呼ぶ）からは前傾しつつ上方に延伸するように、側面視概ね「く」字形に形成されて配設される。なお、以下においては、背フレーム１の、前端部１ａから中間部（屈曲(湾曲)部分１ｉ）手前までの後ろ斜め上方に延伸する部分を下側部分と適宜呼び、中間部（屈曲(湾曲)部分１ｉ）より上から上端部までの前傾しつつ上方に延伸する部分を上側部分と適宜呼ぶ。なお、背フレーム１の材質は、特定の材質に限定されるものではなく、具体的には例えば樹脂により形成される。
【００３１】
また、左右の背フレーム１，１はそれぞれ、前端部１ａが左右方向の揺動軸を介して支持部材１９に揺動可能に取り付けられる。また、背フレーム１の前端部１ａの後方に連結部１ｂが設けられ、当該連結部１ｂが左右方向の支軸を介して座受部材１８に連結される。
【００３２】
背フレーム１の上側部分の前面には、上端部に上側連結凸部１ｃが形成され、その下方に下側連結凸部１ｄが形成される。
【００３３】
また、背フレーム１の上側連結凸部１ｃ位置の後面から上側連結凸部１ｃ内に達する程度の（したがって、前向きに凹む）ねじ頭部収容凹部１１が形成されると共に、当該ねじ頭部収容凹部１１から（言い換えると、凹部１１にとっての底面から）上側連結凸部１ｃを貫通する貫通孔１１ａが形成される。
【００３４】
また、背フレーム１の下側連結凸部１ｄ位置の後面から下側連結凸部１ｄ内に達する程度の（したがって、前向きに凹む）ねじ頭部収容凹部１２が形成されると共に、当該ねじ頭部収容凹部１２から（言い換えると、凹部１２にとっての底面から）下側連結凸部１ｄを貫通する貫通孔１２ａが形成される。
【００３５】
背もたれ枠２は、左右の縦枠２Ａ，２Ａと、上側横枠２Ｃ及び下側横枠２Ｄとから構成され、正面視において上下方向に長い概ね矩形の枠体状に形成されると共に、側面視において下端から中間部位にかけての範囲で前方にせり出して湾曲して形成される。また、背もたれ枠２の上側横枠２Ｃは側面視において上端で屈曲して後方に張り出すように形成され配設される。なお、背もたれ枠２の材質は、特定の材質に限定されるものではなく、具体的には例えば樹脂により形成される。
【００３６】
なお、図示していないが、背もたれ枠２の前面には張り地が取り付けられる。張り地としては適度な弾力性と張力とを発揮して変形可能な例えばメッシュ地を用いることができる。張り地の四辺縁部には例えば樹脂製の係止プレートが縫製によって取り付けられる。そして、背もたれ枠２の前面側から張り地が当てられた状態で、四辺縁部の係止プレートが、背もたれ枠２の前面側から回り込むようにして、背もたれ枠２の左右縦枠２Ａ，２Ａ各々の左右方向外側側面に形成された凹溝２ａ，２ａと、後方に張り出す上側横枠２Ｃの後端面に形成された凹溝２ｂと、下側横枠２Ｄの下面に形成された凹溝２ｃとにそれぞれ嵌め込まれ係合される。これにより、背もたれ枠２の前面に張り地が張り設けられる。
【００３７】
背もたれ枠２の左右縦枠２Ａ，２Ａ各々の後面には、下端寄りの部位に下側連結凸部２ｅが形成され、その上方に上側連結凸部２ｄが形成される。さらに、この背もたれ枠２の縦枠２Ａの各連結凸部２ｄ，２ｅには、後面から前後方向の雌ねじ穴２ｆ，２ｇがそれぞれ形成される。ここで、背もたれ枠２の上側連結凸部２ｄと背フレーム１の上側連結凸部１ｃとが当接し且つ背もたれ枠２の下側連結凸部２ｅと背フレーム１の下側連結凸部１ｄとが当接するように各連結凸部の位置関係や形状などが調整される。
【００３８】
また、本実施形態では、背もたれ枠２の後面の背フレーム１が接合する部分と背フレーム１の前面の背もたれ枠２が接合する部分とのそれぞれに相互に嵌合する凹凸が形成されるようにしている。
【００３９】
具体的には、背フレーム１の上側連結凸部１ｃの前面に環状の凸部１ｅが形成され、背もたれ枠２の上側連結凸部２ｄの後面に前記環状の凸部１ｅと嵌合する環状の凹部２ｈが形成される。また、背フレーム１の下側連結凸部１ｄの前面にも環状の凸部が形成され、背もたれ枠２の下側連結凸部２ｅの後面にも前記環状の凸部と嵌合する環状の凹部が形成される。
【００４０】
これら凸部１ｅ等と凹部２ｈ等とが形成されて嵌合することにより、背フレーム１に背もたれ枠２を取り付ける際の位置決めが容易になると共に取り付け後の両者の位置ずれなどが防止される。なお、各連結凸部(１ｃ，２ｄ等)に相互に嵌合する凸部や凹部が形成されることは本発明において必須の構成ではない。さらに言えば、本発明における背フレーム１と背もたれ枠２との接合部分の構造は、本実施形態における連結凸部(１ｃ，２ｄ等)に限られるものではなく、背フレーム１の前面に背もたれ枠２が配置されて背フレーム１の後面から背もたれ枠２を取り付けるための部品が装着される構造であればどのようなものであっても良い。
【００４１】
そして、背もたれ枠２の縦枠２Ａ後面の上側連結凸部２ｄ（雌ねじ穴２ｆ）と背フレーム１前面の上側連結凸部１ｃ（貫通孔１１ａ）とが接合されて背フレーム１の後面から装着される取付ねじ４によって結合されると共に、縦枠２Ａ後面の下側連結凸部２ｅ（雌ねじ穴２ｇ）と背フレーム１前面の下側連結凸部１ｄ（貫通孔１２ａ）とが接合されて背フレーム１の後面から装着される取付ねじ５によって結合される。
【００４２】
これにより、背もたれ枠２の後方（上下の連結凸部２ｄ，２ｅ後面）に背フレーム１が取り付けられ、この背フレーム１を介して背もたれ枠２が支持部材１９に取り付けられる。
【００４３】
このとき、取付ねじ４は、背フレーム１後面の上側のねじ頭部収容凹部１１内に挿入され、頭部４ａがねじ頭部収容凹部１１内にある状態で、軸部４ｂが貫通孔１１ａを貫通して背もたれ枠２後面の上側連結凸部２ｄの雌ねじ穴２ｆに螺合する。
【００４４】
また、取付ねじ５は、背フレーム１後面の下側のねじ頭部収容凹部１２内に挿入され、頭部５ａがねじ頭部収容凹部１２内にある状態で、軸部５ｂが貫通孔１２ａを貫通して背もたれ枠２後面の下側連結凸部２ｅの雌ねじ穴２ｇに螺合する。
【００４５】
そして、背もたれ枠２を後方から背フレーム１によって支持することに纏わる構造である背フレーム１後面の、取付ねじ４を収容した状態の上側のねじ頭部収容凹部１１や取付ねじ５を収容した状態の下側のねじ頭部収容凹部１２を覆って隠すことによって外観を良好なものにすると共に余計な凹凸を塞いで着衣などの引っ掛かりを防止するため、背フレーム１後面の上端部から屈曲(湾曲)部分１ｉまでを覆う領域に着脱自在の背フレームカバー３が取り付けられる。
【００４６】
本実施形態では、背フレームカバー３は板状のカバー部３ａを有し、当該カバー部３ａが背フレーム１の上側部分の略全体と屈曲(湾曲)部分１ｉとを覆うカバーとして側面視概ね「し」字形に形成される。
【００４７】
そして、本実施形態の背もたれの取付構造は、背フレーム１に背もたれ枠２を取り付けるための部品が取付ねじ４，５であると共に背フレームカバー３を背フレーム１に取り付けるための構造として係止爪６ａ，７ａを有する係止片６Ａ・６Ｂ，７Ａ・７Ｂを備え、当該係止片６Ａ・６Ｂ，７Ａ・７Ｂの係止爪６ａ，７ａが取付ねじ４，５の頭部４ａ，５ａの下面（即ち、軸部４ｂ，５ｂ側の面）に係止するようにしている。
【００４８】
そしてまた、本実施形態の背フレームカバー３は、背フレーム１に背もたれ枠２を取り付けるための部品が取付ねじ４，５であり、背フレーム１に取り付けられるための構造として係止爪６ａ，７ａを有する係止片６Ａ・６Ｂ，７Ａ・７Ｂを備え、当該係止片６Ａ・６Ｂ，７Ａ・７Ｂの係止爪６ａ，７ａが取付ねじ４，５の頭部４ａ，５ａの下面（即ち、軸部４ｂ，５ｂ側の面）に係止するようにしている。
【００４９】
具体的には、背フレームカバー３のカバー部３ａの、背フレーム１への取付状態における前面即ち背フレーム１と対向する面には、上端寄り位置に上側係止部６が形成され、その下方に下側係止部７が形成される。ここで、上側係止部６が背フレーム１後面の上側のねじ頭部収容凹部１１の位置に合致し且つ下側係止部７が背フレーム１後面の下側のねじ頭部収容凹部１２の位置に合致するように位置が調整されて各係止部６，７は形成される。
【００５０】
各係止部６，７は、カバー部３ａの前面から前方に向かって即ち背フレーム１に向かって延出して形成される。本実施形態では、係止部６は上下に対向して配置され且つ各々が対向する他方に対して突出する係止爪６ａを前端部（言い換えると、先端部）に有する一対の係止片６Ａ，６Ｂとして形成され、係止部７は上下に対向して配置され且つ各々が対向する他方に対して突出する係止爪７ａを前端部（言い換えると、先端部）に有する一対の係止片７Ａ，７Ｂとして形成される。
【００５１】
そして、背フレームカバー３は、背もたれ枠２の後方（上下の連結凸部２ｄ，２ｅ後面）に取付ねじ４，５によって背フレーム１が取り付けられた状態で、当該背フレーム１の後面に取り付けられる。
【００５２】
このとき、背フレームカバー３の各係止部６，７は、背フレーム１後面の上下のねじ頭部収容凹部１１，１２にそれぞれ挿入され、係止爪６ａ，７ａが取付ねじ４，５の頭部４ａ，５ａの下面に係止する。
【００５３】
主に図７を参照して上側係止部６について具体的に説明すると、取付ねじ４が嵌められた背フレーム１の上側のねじ頭部収容凹部１１内に上側係止部６（係止片６Ａ，６Ｂ）が挿入されると、対向する係止片６Ａ，６Ｂの係止爪６ａ，６ａが取付ねじ４の頭部４ａの縁部に当接した後に係止片６Ａ，６Ｂがやや反って拡がりながら前記縁部を摺動し、取付ねじ４の頭部４ａの下面（即ち、軸部４ｂ側の面）に達して頭部縁部に係止する。
【００５４】
なお、係止爪６ａ，６ａを取付ねじ４の頭部４ａの下面縁部に進入させるための空間である溝１１ｂが、取付ねじ４の頭部４ａ下面が当接する面に、一対の係止片６Ａ，６Ｂが対向する方である上下方向に形成される。これにより、取付ねじ４は頭部４ａの下面をねじ頭部収容凹部１１の前面（凹部１１にとっての底面）に当接させて固定され、係止爪６ａ，６ａは溝１１ｂに入り込んで取付ねじ４の頭部４ａの下面縁部に係止して固定される。
【００５５】
以上のように構成された背フレームカバー３の取付構造によれば、背フレームカバー３の係止爪６ａ，７ａのような形状の係止爪を引っ掛けて係止するためには通常はアンダーカット部や部品を別に設けるようにしなければならないところ、部材（即ち背もたれ枠２）を取り付けるためにもともと用いられる部品（即ち取付ねじ４，５）に係止爪６ａ，７ａを係止させることができる。したがって、係止用のアンダーカット部を別途に形成する必要がないので部材の成形用の金型を複雑な形状にしないで済むと共に成形の工程の余計な手間を省くことができる。また、係止用の部品を別途に取り付ける必要がないのでその分の部品点数を抑えることができる。
【００５６】
また、本実施形態の背フレームカバー３は、下側係止部７の下方であって、背フレーム１に取り付けた際の背フレーム１の屈曲(湾曲)部分１ｉの中間位置に結合部８を有する。この結合部８は、背フレーム１の屈曲(湾曲)部分１ｉにおける背フレームカバー３の背フレーム１への取り付け状態（言い換えると、背フレーム１と背フレームカバー３との接合状態）を良好に保つためのものである。
【００５７】
そして、本実施形態の背もたれの取付構造としては、背フレームカバー３を背フレーム１に取り付けるための構造として、スプリングピン１３が差し込まれる穴が軸心方向に形成されたボス部８が背フレームカバー３の前面に設けられると共に、スプリングピン１３が差し込まれたボス部８が嵌まり込む凹部１４Ａとスプリングピン１３が差し込まれる穴１４Ｂとが連接して背フレーム１の後面に設けられるようにしている。
【００５８】
また、本実施形態の背フレームカバー３としては、背フレーム１に取り付けられるための構造として、スプリングピン１３が差し込まれる穴が軸心方向に形成されたボス部８が前面に設けられ、背フレーム１の後面に設けられた凹部１４Ａにスプリングピン１３が差し込まれたボス部８が嵌まり込むと共に凹部１４Ａと連接して設けられた穴１４Ｂにスプリングピン１３が差し込まれるようにしている。
【００５９】
より具体的には、背フレームカバー３のカバー部３ａ前面には、結合部８として、スプリングピン１３が差し込まれる穴が軸心方向に形成されたボス部８が前方に突出して設けられる。
【００６０】
また、背フレーム１後面の屈曲(湾曲)部分１ｉの中間位置には、背フレームカバー３のカバー部３ａ前面のボス部８が嵌まり込むボス嵌合凹部１４Ａが前後方向に設けられると共に当該ボス嵌合凹部１４Ａから（言い換えると、凹部１４Ａにとっての底面から）同軸方向にスプリングピン１３が差し込まれるピン差込穴１４Ｂが連接し連通して設けられる。
【００６１】
そして、スプリングピン１３がセットされて背フレームカバー３前面のボス部８がボス嵌合凹部１４Ａに挿入され、スプリングピン１３が背フレーム１のピン差込穴１４Ｂと背フレームカバー３のボス部８とに亘って嵌まり込むと同時にボス部８が背フレーム１のボス嵌合凹部１４Ａに嵌まり込む構造が実現される。この構造によれば、スプリングピン１３が嵌まり込んだボス部８の外周がボス嵌合凹部１４Ａによって拘束される。
【００６２】
そして、スプリングピン１３が嵌まり込んだボス部８の外周が拘束されていない場合には時間の経過と共にボス部８が拡張するなどしてスプリングピン１３の嵌合が緩んでしまい結合力が弱まって背フレームカバー３が背フレーム１に対して浮いてしまうことがある一方で、スプリングピン１３が嵌合するボス部８の外周を拘束する上述の構造の場合にはボス部８が拡張することが防止されるためにスプリングピン１３の嵌合が緩んでしまうことがないので背フレーム１に対する背フレームカバー３の良好な取り付け状態が維持される。
【００６３】
本実施形態の背フレームカバー３は、さらに、この背フレームカバー３にとっての下端であって、背フレーム１の屈曲(湾曲)部分１ｉの下端(前端)位置に係止部９を有する。
【００６４】
本実施形態では、背フレームカバー３のカバー部３ａ前面下端には、係止部９として、先端に係止爪９ａが形成された係止片が前方に突出して設けられる。
【００６５】
また、背フレーム１後面の屈曲(湾曲)部分１ｉ下端(前端)には、背フレームカバー３のカバー部３ａ前面の係止片９が差し込まれる係止穴１５が設けられ、当該係止穴１５の先端(前端)部分に係止爪９ａが係止される凹部１５ａが形成される。なお、当該凹部１５ａはアンダーカットになってしまうが、椅子２０の普段の使用状態においては見えない箇所である左右の背フレーム１各々の左右方向内側側面にスライドコア用の穴を設けることにより、外観を損なうことなく係止爪９ａを係止させるためのアンダーカット部を成形することができる。
【００６６】
以上のように構成された本発明の背もたれの取付構造及び背フレームカバーによれば、背フレーム１の後面から背もたれ枠２を取り付けるようにしているので、背もたれ枠２の前面に張り地が張り設けられていたとしても、この張り地を取り外すことなく背フレーム１に対する背もたれ枠２の着脱を行うことができる。
【００６７】
また、本発明の背もたれの取付構造及び背フレームカバーによれば、背フレーム１の後面のうち当該背フレーム１に背もたれ枠２を取り付けるために装着されたねじ４，５を含む領域、言い換えると、背フレーム１に背もたれ枠２を取り付けるための構造を含む領域に背フレームカバー３を取り付けるようにしているので、繁雑な取付構造を覆って外観を良好なものにすることができると共に椅子２０の使用時などにおいて前記取付構造の凹凸に着衣などが引っ掛かってしまうことを防止することができる。また、例えば背フレーム１全体を覆うのではなくて少なくともねじ４，５の装着部分のみを覆う構成とすることができるので、簡便な構造で上記効果を発揮させることができる。
【００６８】
さらに、本発明の背もたれの取付構造及び背フレームカバーによれば、背フレームカバー３の色彩や材質をこれが取り付けられる背フレーム１の色彩や材質と敢えて変えることによって椅子２０のデザイン上のアクセントとすることができる。
【００６９】
なお、上述の形態は本発明の好適な形態の一例ではあるがこれに限定されるものではなく、本発明の要旨を逸脱しない範囲において種々変形実施可能である。例えば、上述の実施形態では本発明を図１に全体構造を示す椅子２０に適用した場合を例に挙げて説明したが、本発明が適用され得る椅子は上述の実施形態における椅子２０に限られるものではなく、背もたれが後ろ側から背フレームによって支持される構造を有する椅子全般に対して本発明は適用することができる。特に付け加えると、背もたれを背フレームによって後ろ側から支持する構造であってこれら背もたれと背フレームとを接合するための部品（本実施形態では取付ねじ４，５）を背フレームの後面から装着する構造であり、背フレームの後面にこの接合部品を含む構造が配設される構造を有する椅子全般に対して本発明は適用することができ、背もたれや背フレームのその他の形状や構成・構造は本実施形態の背もたれ枠２や背フレーム１に限られるものではない。
【００７０】
また、上述の実施形態では上側係止部６，下側係止部７は上下に対向して配置される一対の係止片６Ａ及び６Ｂ，７Ａ及び７Ｂを有するものとして構成されているが、係止部の構造はこれに限られるものではなく、左右に対向して配置される一対の係止片であっても良いし、三つ以上の係止片であっても良いし、或いは、一つの係止片のみであっても良い。なお、一つの係止片のみによって各係止部６，７を構成する場合には、例えば、上側係止部６の係止片を取付ねじ４の上側に設けると共に下側係止部７の係止片を取付ねじ５の下側に設けるようにすることにより、上側係止部６の係止片と下側係止部７の係止片とによって上下に挟み込む効果が発揮され得るので背フレームカバー３を確実に取り付けることができる。
【００７１】
また、上述の実施形態では背フレームカバー３は背フレーム１後面の上端部から屈曲(湾曲)部分１ｉまでを覆う領域に取り付けられると共に、したがって背フレームカバー３の全長が比較的長いので上側係止部６と下側係止部７とに加えてこれらの下方に結合部８と係止部９とを有するものとして構成されているが、背フレームカバー３が覆う領域や構造は上述の実施形態におけるものには限られない。すなわち、背フレームカバー３は、背もたれ枠２を後ろ側から背フレーム１によって支持するための構造であって背フレーム１後面に現れる上側のねじ頭部収容凹部１１と下側のねじ頭部収容凹部１２とを少なくとも覆う領域に取り付けられるようにしても良い。そして、上側のねじ頭部収容凹部１１及び下側のねじ頭部収容凹部１２のみを覆う領域に背フレームカバー３が取り付けられる場合には、これらに係止する上側係止部６及び下側係止部７のみによって背フレームカバー３は確実に且ついずれかの部分が浮くようなこともなく背フレーム１に取り付けられ得るので、結合部８や係止部９を設けないようにしても良い。また、背フレームカバー３の全長によっては、上側係止部６と下側係止部７とに加えて下端の係止部９のみを設けるようにしても良い。
【００７２】
また、上述の実施形態では背フレームカバー３の結合部８としてスプリングピン１３を用いる構造としているが、結合部８の構造はこれに限られるものではない。例えば、背フレームカバー３にボス部８を設けると共に、背フレーム１にボス部８が嵌まり込むボス嵌合凹部１４Ａのみを設け、ボス部８をボス嵌合凹部１４Ａに差し込むだけでも良い。
【００７３】
また、上述の実施形態では背フレームカバー３の係止部９として先端に係止爪９ａが形成された係止片を用いる構造としているが、係止部９の構造はこれに限られるものではない。例えば、上述の実施形態における結合部８と同様にスプリングピン１３を用いる構造にしても良いし、上記のようにスプリングピンを用いずにボス部及び嵌合凹部のみの構造にしても良い。
【００７４】
また、上述の実施形態では背フレーム１と背フレームカバー３との表面が面一（つらいち）になるように構成されているが、これに限られず、背フレームカバー３部分を背フレーム１に対して凸部にしたり凹部にしたりしても良い。また、背フレームカバー３の材質や色彩を背フレーム１と敢えて異なるようにしても良い。このように背フレームカバー３の形態や色彩や材質などを背フレーム１に対して敢えて変化させることにより、外観を損なうことになってしまう背もたれ枠２の取付に纏わる構造を隠すことに加え、背フレームカバー３自体をデザイン上のアクセントとすることにより、外観をより一層良好なものにすることが可能である。
【符号の説明】
【００７５】
１  背フレーム
２  背もたれ枠
３  背フレームカバー
４  取付ねじ
５  取付ねじ
２０  椅子
【図１】
0005921278.tif 000002
【図２】
0005921278.tif 000003
【図３】
0005921278.tif 000004
【図４】
0005921278.tif 000005
【図６】
0005921278.tif 000006
【図１１】
0005921278.tif 000007
【図１２】
0005921278.tif 000008
【図５】
0005921278.tif 000009
【図７】
0005921278.tif 000010
【図８】
0005921278.tif 000011
【図９】
0005921278.tif 000012
【図１０】
0005921278.tif 000013